(57)【要約】【課題】容器部から塗布部材に供給される消毒液の供給量を適量にする。【解決手段】使用前は容器部１１内側の消毒液Ｌと容器部１１外側の塗布部材１３とを密閉部１２によって分離させているので、消毒液Ｌが染み込んだ状態で塗布部材１３を長期にわたって保持することに起因する塗布部材１３の劣化や消毒液Ｌの変質を防止できる。また、使用時には、シール部材１７を剥がすことでこれと一体の閉塞部材１５を供給孔１４から引き抜いて塗布部材１３に消毒液Ｌを含浸させることができる。この際、塗布部材１３に対する消毒液Ｌの供給量、ひいては塗布部材１３による液体の塗布量は、供給孔１４によって規制されるので、適量とすることができる。【選択図】      図２
2004313836.tif 000002
【特許請求の範囲】
【請求項１】
被塗布面に押し当てるようにして液体を塗布する液体塗布具において、
内側に液体を貯留する容器部と、
前記容器部を密閉する密閉部と、
液体を含浸可能な塗布部材であって前記容器部外側における前記密閉部近傍に取り付けられた塗布部材と、
前記密閉部に穿設されて、前記容器部内側の液体を前記塗布部材側に導く供給孔と、
前記液体塗布具の使用前には前記供給孔を閉塞するとともに、使用時には人手によって取り除かれて前記供給孔を開放する閉塞部材と、を備える、
ことを特徴とする液体塗布具。
【請求項２】
前記閉塞部材は、前記供給孔に挿着された引き抜き可能な栓部材によって構成されている、
ことを特徴とする請求項１に記載の液体塗布具。
【請求項３】
前記塗布部材を収納する収納室と、前記収納室を密閉する剥離可能なシール部材と、を備える、
ことを特徴とする請求項２に記載の液体塗布具。
【請求項４】
前記栓部材は、前記シール部材と一体的に構成されて、前記シール部材の剥離動作による前記収納室の開放に連動して、前記供給孔から引き抜かれる、
ことを特徴とする請求項３に記載の液体塗布具。
【請求項５】
１枚のシール部材によって複数の液体塗布具の収納室を閉鎖する、
ことを特徴とする請求項３又は４に記載の液体塗布具。
【請求項６】
前記閉塞部材は、前記供給孔を閉塞する蓋部材であり、
前記供給孔に前記塗布部材側から挿入されて前記蓋部材に透孔を開ける孔明け部材を備え、
前記孔明け部材は、前記供給孔に挿入される部分に、前記容器内側の液体を前記塗布部材側に導く連通孔を有する、
ことを特徴とする請求項１に記載の液体塗布具。
【請求項７】
前記蓋部材は、少なくともその一部に、前記孔明け部材による破断が容易な脆弱部を有する、
ことを特徴とする請求項６に記載の液体塗布具。
【請求項８】
前記塗布部材を覆うカバー部材を有する、
ことを特徴とする請求項６又は７に記載の液体塗布具。
【発明の詳細な説明】
【０００１】
【発明の属する技術分野】
液体を充填した容器の先にスポンジを付けて、このスポンジに液体を含浸させ、塗布対象となる表面にスポンジを軽く押し当てるようにして液体を塗布する液体塗布具が便宜に使用されている。例えば、皮膚に化粧品や医療品を塗布するものや、靴にワックスを塗布するのに使用されている。
【０００２】
このような液体塗布具において、使用前に、液体がスポンジに染み込んだ場合、長期間にわたって未使用状態が継続すると、スポンジが劣化したり、液体が変質したりするおそれがある。
【０００３】
そこで、このような不具合を防止すべく、使用前にはスポンジに液体が染み込まないようにした、すなわち容器を密閉して容器中の液体とスポンジとを隔離させるようにしたものが、例えば特許文献１に記載されている。
【０００４】
このものは、液体（例えば、化粧品，医療品クリーニング剤，ワックス状つや出し剤等）を充填した容器を引き裂き可能なカバーで密閉するとともに、スポンジの内側に孔あけ手段として丸い物体を保持している。使用に際しては、丸い物体をスポンジの上から押圧し、この丸い物体によってカバーを引き裂いて孔をあける。そして、容器内の液体をこの孔を通してスポンジに供給し、スポンジに含浸させる。その後、スポンジに含浸させるようにしている。
【０００５】
【特許文献１】
特許第２８６９８１８号明細書
【０００６】
【発明が解決しようとする課題】
しかしながら、上述の従来例によると、液体塗布具の使用に際して、容器を密閉してカバーに、丸い物体を押し付けて孔をあけているので、その孔の形状や大きさがばらついて、容器からスポンジに供給される液体の量が多すぎる場合や、逆に少なすぎる場合が発生して、スポンジに対して適量の液体を供給するのが困難であるという問題があった。すなわち、塗布量を微妙に調整したいような使用には適していないという問題である。
【０００７】
本発明は、上述の問題を解決すべく、塗布部材に対する液体の供給量が適量となるようにした液体塗布具を提供することを目的とするものである。
【０００８】
【課題を解決するための手段】
請求項１に係る発明は、被塗布面に押し当てるようにして液体を塗布する液体塗布具において、内側に液体を貯留する容器部と、前記容器部を密閉する密閉部と、液体を含浸可能な塗布部材であって前記容器部外側における前記密閉部近傍に取り付けられた塗布部材と、前記密閉部に穿設されて、前記容器部内側の液体を前記塗布部材側に導く供給孔と、前記液体塗布具の使用前には前記供給孔を閉塞するとともに、使用時には人手によって取り除かれて前記供給孔を開放する閉塞部材と、を備える、ことを特徴とする。
【０００９】
請求項２に係る発明は、請求項１に記載の液体塗布具において、前記閉塞部材は、前記供給孔に挿着された引き抜き可能な栓部材によって構成されている、ことを特徴とする。
【００１０】
請求項３に係る発明は、請求項２に記載の液体塗布具において、前記塗布部材を収納する収納室と、前記収納室を密閉する剥離可能なシール部材と、を備える、ことを特徴とする。
【００１１】
請求項４に係る発明は、請求項３に記載の液体塗布具において、前記栓部材は、前記シール部材と一体的に構成されて、前記シール部材の剥離動作による前記収納室の開放に連動して、前記供給孔から引き抜かれる、ことを特徴とする。
【００１２】
請求項５に係る発明は、請求項３又は４に記載の液体塗布具において、１枚のシール部材によって複数の液体塗布具の収納室を閉鎖する、ことを特徴とする。
【００１３】
請求項６に係る発明は、請求項１に記載の液体塗布具において、前記閉塞部材は、前記供給孔を閉塞する蓋部材であり、前記供給孔に前記塗布部材側から挿入されて前記蓋部材に透孔を開ける孔明け部材を備え、前記孔明け部材は、前記供給孔に挿入される部分に、前記容器内側の液体を前記塗布部材側に導く連通孔を有する、ことを特徴とする。
【００１４】
請求項７に係る発明は、請求項６に記載の液体塗布具において、前記蓋部材は、少なくともその一部に、前記孔明け部材による破断が容易な脆弱部を有する、ことを特徴とする。
【００１５】
請求項８に係る発明は、請求項６又は７に記載の液体塗布具において、前記塗布部材を覆うカバー部材を有する、ことを特徴とする。
【００１６】
【発明の実施の形態】
以下、図面に沿って、本発明の実施の形態について説明する。なお、各図面において、同一の符号を付したものは、同様の構成又は作用を有するものであり、これらについての重複説明は適宜省略するものとする。
【００１７】
＜実施の形態１＞
図１〜図３に、本発明に係る液体塗布具の一例として、実施の形態１に係る液体塗布具１０を示す。これらの図のうち、図１は液体塗布具１０を斜め上方から見た斜視図、図２は液体塗布具１０の縦断面図、図３は使用時の液体塗布具１０を斜め下方から見た斜視図である。なお、以下の説明では、液体塗布具１０によって塗布される液体が、医療用の消毒液Ｌであり、この消毒液Ｌの塗布対象が人体の皮膚である場合を例に説明する。
【００１８】
液体塗布具１０は、これらの図に示すように、消毒液（液体）Ｌを貯留する容器部１１と、この容器部１１を密閉する密閉部１２と、この密閉部１２の近傍に取り付けられた塗布部材１３と、密閉部１２に穿設された供給孔１４と、この供給孔を閉塞する閉塞部材１５とを主要構成要素として備えている。
【００１９】
さらに、本実施の形態においては、上述の塗布部材１３を収納する収納室１６と、この収納室１６を密閉するシール部材１７とを備えている。
【００２０】
以下、容器部１１から順に説明する。
【００２１】
容器部１１は、円錐台状に形成されていて、内側には消毒液Ｌが貯留されている。この容器部１１は、液体塗布具１０の使用に際して、使用者の手の指でつままれる部分である。なお、容器部１１の形状については、円錐台状に限定されるものではなく、角錐台状、円柱状、角柱状等の任意の形状を選択することができる。
【００２２】
密閉部１２は、上述の容器部１１の底部（図１中の下部）を密閉するように設けられている。この密閉部１２によって、容器部１１内側の消毒液Ｌは、外部から隔絶されて外気に触れることがなく、したがって、長期にわたって所期の効能を維持できるようになっている。
【００２３】
塗布部材１３としては、多孔質の弾性部材や発泡樹脂、例えばスポンジやウレタンフォームを使用することができる。その外には綿（特に医療用や育児用の清浄綿）を使用することができる。塗布部材１３は、例えば接着剤によって上述の密閉部１２の下面に接着して固定する。塗布部材１３は、後述の収納室１６に同じく後述のシール部材１７によって圧縮された状態で収納されている。この塗布部材１３は、後述するように、使用時には消毒液Ｌを含浸して膨張するようになっている。
【００２４】
供給孔１４は、図２に示すように、上述の密閉部１２のほぼ中央を上下方向に貫通するように穿設されている。供給孔１４は、拡大図である図４に示すように、下部ほど大径となるテーパ状に形成されている。供給孔１４は、上述の容器部１１と後述の収納室１６とを連通していて、容器部１１内側の消毒液Ｌを収納室１６に収納されている上述の塗布部材１３に導くものである。なお、供給孔１４は、上述のようにテーパ状に形成する代わりに、ストレートに形成するようにしてもよい。この場合でも、次に説明する閉塞部材１５がテーパ状に形成されることにより、消毒液Ｌの供給孔１４からの漏洩を十分防止することができる。
【００２５】
閉塞部材１５は、例えば軟質のゴムによって上述の供給孔１４に合ったテーパ状に形成された棒状の栓部材である。この閉塞部材１５は、上述の塗布部材１３の中央を貫通し、さらに供給孔１４に対して収納室１６側（下方）から容器部１１側（上方）に向かって栓をするように挿入されている。これにより、容器部１１内部の消毒液Ｌが供給孔１４から漏洩するのを防止している。なお、この閉塞部材１５は、これを積極的（意図的）に供給孔１４から引き抜こうとする力に対しては、比較的容易に引き抜くことができるようになっている。また、閉塞部材１５は、後述するように、シール部材１７と一体的に構成されている。
【００２６】
収納室１６は、上述の塗布部材１３を収納するためのものである。収納室１６の天井部は、上述の密閉部１２によって構成され、また側壁１６ａは、密閉部１２の周縁部を下方に垂下させるようにして環状に形成されている。この収納部１６は、下方に向けて開口する開口部を有しており、この開口部は、次に説明するシール部材１７によって閉鎖されている。
【００２７】
以上説明した容器部１１と密閉部１２と収納室１６とは、例えば合成樹脂によって一体に形成されている。
【００２８】
シール部材１７は、シート状の部材をほぼ円形に形成したものであり、上述の収納室１６の開口部全体を塞ぐように、側壁１６の下端縁にその全周にわたって、例えば熱接着により貼着されている。シール部材１７の外周の一部には、図３に示すように、剥離時に握るための突起１７ａが設けてある。またシール部材１７のほぼ中央には、図２，図３に示すように、上述の閉塞部材１５が、上方を向くように固定されている。シール部材１７は、収納室１６を密閉してこの収納室１６に塗布部材１３を圧縮した状態で収納するとともに、閉塞部材１５によって供給孔１４を閉塞している。このように、シール部材１７が収納室１６を密閉しているので、収納室１６に収納された塗布部材１３は、外気に触れることなく、極めて清潔な状態を長期にわたって維持することができる。また、万一、消毒液Ｌが供給孔１４から漏れ出した場合でも、収納室１６の外部に漏れ出すことはない。なお、シール部材１７は、積極的（意図的）な剥離動作に対しては、比較的容易に剥離できるようになっている。
【００２９】
上述構成の液体塗布具１０は、以下のようにして使用する。
【００３０】
まず、使用者は、一方の手で容器部１１を握り、他方の手でシール部材１７の突起１７ａをつかんで、シール部材１７を収納室１６の開口部から剥がす。これにより塗布部材１３が露出される。このとき、同時にシール部材１７と一体の閉塞部材１５が供給孔１４から引き抜かれる。これにより、容器部１１内の消毒液Ｌが供給孔１４を通って塗布部材１３に供給され、塗布部材１３は、消毒液Ｌを含みながら図３に示すように膨張する。これで消毒液Ｌを皮膚に塗るための準備が完了する。その後、消毒液Ｌを含浸した塗布部材１３を皮膚に当てるようにして皮膚に沿って適宜に移動させることで、消毒液Ｌを皮膚に塗布することができる。
【００３１】
本実施の形態によると、消毒液Ｌ及び塗布部材１３は、使用直前まで、外気から完全に隔絶されているので、極めて衛生的である。また、使用前には、消毒液Ｌと塗布部材１３とが分離されていて、塗布部材１３に消毒液Ｌが染み込むことがないので、例えば長期間にわたって未使用状態が継続した場合でも、塗布部材１３が劣化したり、消毒液Ｌが変質したりするおそれがない。
【００３２】
さらに、容器部１１から塗布部材１３に供給される消毒液Ｌは、途中の供給孔１４を介して供給されるので、この供給孔１４をあらかじめ適宜な大きさで穿設しておくことにより、消毒液Ｌの供給量を適宜な量に設定することができ、ひいては塗布量を最適な量に設定することができる。
【００３３】
なお、上述の液体塗布具１０を使い捨て、いわゆるディスポーザブルとして使用する場合には、さらに衛生的な使用を実現することが可能である。
【００３４】
＜実施の形態２＞
【００３５】
図５に、本実施の形態を示す。同図に示す液体塗布具１０は、シール部材が異なる点を除いて、上述の実施の形態１のものと同じである。
【００３６】
本実施の形態においては、多数の液体塗布具１０（同図では２０個）を大きな１枚の同一のシール部材１８上に配置したものである。すなわち、複数の液体塗布具１０の収納室１６（図２参照）を、１枚のシール部材１８によって密閉するようにしたものである。
【００３７】
本実施の形態では、使用に際して、液体塗布具１０からシール部材１８を剥がすというよりもむしろ、シール部材１８から液体塗布具１０を取り外すといった使い勝手となる。
【００３８】
本実施の形態によると、片手でシール部材１８から液体塗布具１０を取り外すのみで、塗布部材１３に消毒液Ｌを染み込ませることができるので、多くの液体塗布具１０を短時間で使用する場合に好適である。
【００３９】
＜実施の形態３＞
図６，図７に、本実施の形態を示す。図６は、使用前の液体塗布具２０の破断斜視図であり、図７は、使用時の液体塗布具２０の破断斜視図である。
【００４０】
これらの図に示す液体塗布具２０は、容器部２１、密閉部２２、塗布部材２３については、それぞれ実施の形態１で説明した液体塗布具１０の容器部１１、密閉部１２、塗布部材１３と同様なので説明は省略する。
【００４１】
本実施の形態における液体塗布具２０は、実施の形態１の液体塗布具１０とは異なり、供給孔２４はテーパ状ではなくストレートに形成されて、容器部２１内側と塗布部材２３側とを連通している。また、本実施の形態においては、閉塞部材２５は、供給孔２４の一方の開口部（図６，図７では容器部２１側の開口部）を閉塞するように固定された円板状の蓋状部材によって構成されている。この閉塞部材２５は、供給孔２４に対応する部分にスリットが形成されていて、破断容易な脆弱部２５ａを構成している。
【００４２】
本実施の形態では、さらに、この脆弱部２５ａに透孔を穿設するための孔明け部材２６が配設されている。
【００４３】
穴明け部材２６は、円筒状の挿入部２６ａと、鍔状の大径のストッパ部２６ｂとを有しており、挿入部２６ａの中心には、連通孔２６ｃが穿設されている。また挿入部２６ａの先端は、上述の閉塞部材２５に透孔を明けるべく、先細りに形成されている。
【００４４】
図６に示す、液体塗布具２０の使用前の状態では、孔明け部材２６は、その挿入部２６ａの先端側を供給孔２４に挿入し、またそのストッパ部２６ｂが塗布部材２３に覆われた状態で保持されている。このとき、挿入部２６ａの先端は、閉塞部材２５に当接している。
【００４５】
液体塗布具２０の使用に際しては、まず、塗布部材２３の上から孔明け部材２６のストッパ部２６ｂを押圧して挿入部２６ａを供給孔２４に押し込む。挿入部２６ａの先端が、閉塞部材２５の脆弱部２５ａを突き破って閉塞部材２５に孔を明ける。これにより、連通孔２６ｃが容器部２１内側と塗布部材２３側とを連通させて、容器部２１内側の消毒液Ｌが連通孔２６ｃを介して塗布部材２３に到達し、塗布部材２３に染み込んでいく。
【００４６】
本実施の形態によると、孔明け部材２６を塗布部材２３の上から押し込むといった簡単な動作で、塗布部材２３に消毒液Ｌを含浸させることができる。また、塗布部材２３に対する消毒液Ｌの供給量が、孔明け部材２６の連通孔２６ｃによって規制されるので、この連通孔２６ｃの大きさを適宜に設定することで、供給量、ひいては塗布量を簡単に微調整することが可能となる。さらに、連通孔２６ｃの大きさの異なる孔明け部材２６を複数種、準備することにより、孔明け部材２６を交換することで、簡単に供給量の異なる液体塗布具を構成することができる。なお、本実施の形態においては、消毒液Ｌの供給量が供給孔２４の大きさによって直接、規制されるわけではないが、この供給孔２４に挿着される孔明け部材２６の連通孔２６ｃの大きさによって規制されることになる。そして、この連通孔２６ｃの直径を徐々に大きくして供給孔２４の直径に近づけたときには、供給量は、供給孔２４の大きさによって規制されるのとほぼ等しくなる。
【００４７】
本実施の形態において、液体塗布具２０の使用前に塗布部材２３が露出するのを防止するために、図８に示すような、有底円筒状のカバー部材２７を、塗布部材２３を覆うように取り付けるようにしてもよい。この場合、さらにカバー部材２７を、図５に示すものと同様に、シート状の部材（不図示）の縦横に多数固着しておき、これに本実施の形態に係る液体塗布具２０をそれぞれ取り付けるようにしてもよい。
【００４８】
以上説明した実施の形態１，２の容器部１１，２１を、指で押したときに変形できるように構成した場合には、押し加減を調整することで、消毒液Ｌの供給量を微妙に調整することが可能となる。
【００４９】
【発明の効果】
以上説明したように、本発明によると、使用前は容器部内側の液体と容器部外側の塗布部材とを密閉部によって分離させているので、液体が染み込んだ状態で塗布部材を長期にわたって保持することに起因する塗布部材の劣化や液体の変質を有効に防止することができる。また、使用時には、閉塞部材を開放して密閉部に穿設されている供給孔を介して容器部内側の液体を塗布部材に含浸させることができるので、塗布部材に対する液体の供給量、ひいては塗布部材による液体の塗布量を適量とすることができる。
【図面の簡単な説明】
【図１】実施の形態１の液体塗布具の構成を示す斜視図である。
【図２】実施の形態１の液体塗布具の縦断面図である。
【図３】実施の形態１の液体塗布具の使用時に、シール部材を剥がしたようすを示す斜視図である。
【図４】実施の形態１における、供給孔及びこれに挿着される閉塞部材の形状を説明する拡大図である。
【図５】実施の形態２を示す斜視図である。
【図６】実施の形態３における使用前の液体塗布具の縦断面図を示す斜視図である。
【図７】実施の形態３における使用時の液体塗布具の縦断面図を示す斜視図である。
【図８】実施の形態３において、塗布部材２３に装着するカバー部材を示す斜視図である。
【符号の説明】
１０，２０  液体塗布具
１１，２１  容器部
１２，２２  密閉部
１３，２３  塗布部材
１４，２４  供給孔
１５        閉塞部材（栓部材）
１６        収納室
１７，１８  シール部材
２５        閉塞部材（蓋部材）
２５ａ      脆弱部
２６        孔明け部材
２６ａ      挿入部
２６ｃ      連通孔
２７        カバー部材
Ｌ          液体（消毒液）
【図１】
2004313836.tif 000003
【図２】
2004313836.tif 000004
【図３】
2004313836.tif 000005
【図４】
2004313836.tif 000006
【図５】
2004313836.tif 000007
【図６】
2004313836.tif 000008
【図７】
2004313836.tif 000009
【図８】
2004313836.tif 000010